(57)【要約】      （修正有）【課題】マスク、アイマスク、アイマスク使用時の口覆いという、１商品で３機能備えた商品、「マスク兼用、口覆い機能付きアイマスク」を考案すること。１商品で３機能を備えているため、持ち運ぶ品数が少なくなり便利となる。又、アイマスクに付加されている口覆いの為、居眠りの際、口をあけていても恥ずかしい思いをしなくてすむこととなる。【解決手段】従来市販されているアイマスクの下部の布を長く裁断し、口を覆うことの出来る部分を付加する。この口覆い部分はマスクの裏部分に作ったポケットに収納可能とする。又、このアイマスク部分を通常の口に使用するマスクとしても兼用できるように形態を整える。アイマスク部分裏のポケットにはガーゼ等も収納できるようにし、口に使用するマスク使用時に備える。【選択図】図８
0003125982.tif 000002
【実用新案登録請求の範囲】
【請求項１】
マスク兼用、口覆い機能付きアイマスク。下記特徴をもつ。
通常のアイマスクに、睡眠時に利用できる口を覆い隠す布を付加、口も覆える。更に、通常のマスクとしても利用可能といった３機能を備えている。
マスク部分裏には布を縫合、下部を開口可能とし、収納袋として利用出来る仕様とする。当該袋部分は、口覆い部分の収納、ガーゼ等の収納も可能とする。布は清潔なものを使用。シンサレートソフトをキルティングしたものなど。マスク部分を耳にかけるため、強度の強い紐等を利用（ゴムも検討の価値あり）。紐は従来のような味気ないものではなく、本体部分と色を合わせるなど、デザイン性の高いものとする。ファッショナブルで、デザイン性の高いアイテムとする。スパンコールやレース等で装飾する。
【考案の詳細な説明】
【技術分野】
【０００１】本考案は、マスクとしても兼用できる、口を覆う機能を備えたアイマスクに関するものである。
【背景技術】
【０００２】アイマスクについては様々なものが市場に出回っている。
【考案の開示】
【考案が解決しようとする課題】
【０００３】
【０００４】従来、アイマスクについては様々なものが出回っている。
アイマスクを使用する環境を考察してみるに、飛行機、長距離の列車での移動等があげられる。当該移動環境での使用者の様子は、目を覆っているものの口を大きく開いての使用姿が散見され、いささか恥ずかしい印象を与える。そのような不快感を軽減すべく本考案を提示する。またアイマスクを変形することにより、通常の口を覆うマスクとしても機能させる。
【課題を解決するための手段・効果】
【０００５】従来のアイマスクに、口を覆う機能を付加し、見た目でも人に不快感を与えない商品を考案する。
又アイマスク部分の形を少し変形し、アイマスク部分も、口に使用する通常のマスクとして機能するようにする。仕事等での不測の移動の際、春先には花粉症の症状が突然発生することもあり、マスクを常備できていることは望ましいように思える。
１商品で３機能（アイマスク＋口覆い＋通常のマスク）での使用を可能とすることが、この考案の最大の課題となっている。
【考案を実施するための最良の形態】
【０００６】本考案は、上記の問題を解決すべく提案するものである。従来のアイマスク部分の布を長く裁断し、口を覆う布部分を付加する。口を覆うこの部分は、アイマスクの袋状の部分に織り込んで収納できるようにする。アイマスク部分も従来の目の形とするのではなく、少々四角に近い形とし、通常のマスクとしても機能するようにすることを課題とする。通常のマスク使用に備えて、袋状の部分に、口あてとしてガーゼを常備収納できるようにする。当該マスク部分は、強度の強い紐等により、耳にかけることが出来る形とする。
【実施例】
【０００７】装着
口覆いをつけ、且つアイマスクとして使用する場合…図３
通常のマスクとして使用する場合…図５【０００８】収納
口覆い部分、通常のマスク利用時に使用するガーゼを収納する。図３下部を収納し、図５になる。【０００９】デザインと布地。
布地は、アイマスクと通常のマスクを両用することを考えるに、光りを通さず且つ通気性の良い清潔なものが望ましい。具体的素材については各種想定可能である。マスク使用時の口あて部分は、ガーゼ又は、強度の強い紙ナプキン等が好ましい。
デザインについては、現状売られているマスクやアイマスクがいたってシンプルであり、画一的であることから、男女ともにファッショナブルに装えるように各種カラーを用意したい。又、花粉症の時期等には学生の方がおしやれ感覚でマスクを利用出来るように、刺繍を施したり、アクセサリーとしてスパンコール、レースをつける等の装飾も施す。
又、マスク部分と耳かけに使用する紐は強度が強く、マスク本体の色にあったもの、レース等のおしゃれなものとする。
【図面の簡単な説明】
【００１０】
【図１】通常のマスク部分の形状
【図２】アイマスクに口覆いをつけたものの形状
【図３】アイマスクに口覆いをつけたもの  スパンコール等で飾りつけをする
【図４】図３の横の図
【図５】アイマスクとして使用していたものを、マスクの形状に変更した図。下部が袋になっており、口覆いの部分とマスクが仕舞えるようなになっている
【図６】正面の裏図。口覆いの部分と、ガーゼを収納する際のポケットになっている
【図７】装着時の正面図。アイマスクと口覆いをした時
【図８】装着時の斜め図。アイマスクと口覆いをした時
【図１】
0003125982.tif 000003
【図２】
0003125982.tif 000004
【図３】
0003125982.tif 000005
【図４】
0003125982.tif 000006
【図５】
0003125982.tif 000007
【図６】
0003125982.tif 000008
【図７】
0003125982.tif 000009
【図８】
0003125982.tif 000010
【手続補正書】
【提出日】平成18年8月4日(2006.8.4)
【手続補正１】
【補正対象書類名】実用新案登録請求の範囲
【補正対象項目名】全文
【補正方法】変更
【補正の内容】
【実用新案登録請求の範囲】
【請求項１】
目を覆う第１の布と、目から口までを覆う第２の布と、耳かけと、を備え、
前記第１の布及び前記第２の布は、互いの上部を合わせた状態で上部及び両側部が縫合されて、前記第１の布の下部を開口とする収納部が形成され、
前記第２の布の口を覆う部分は、前記第１の布側に折り返して前記収納部に収納可能となることを特徴とするアイマスク。
【手続補正２】
【補正対象書類名】明細書
【補正対象項目名】全文
【補正方法】変更
【補正の内容】
【考案の詳細な説明】
【技術分野】
【０００１】
本考案は、マスクとしても兼用できる、口を覆う機能を備えたアイマスクに関するものである。
【背景技術】
【０００２】
アイマスクについては様々なものが市場に出回っている。
【考案の開示】
【考案が解決しようとする課題】
【０００３】
アイマスクを使用する環境を考察してみるに、飛行機、長距離の列車での移動等があげられる。当該移動環境での使用者の様子は、目を覆っているものの口を大きく開いての使用姿が散見され、いささか恥ずかしい印象を与える。
【０００４】
本考案は上記課題に鑑みてなされたものであり、その主たる目的は、そのような不快感を軽減し、通常の口を覆うマスクとしても機能するアイマスクを提供することにある。
【課題を解決するための手段】
【０００５】
上記目的を達成するため、本考案は、目を覆う第１の布と、目から口までを覆う第２の布と、耳かけと、を備え、前記第１の布及び前記第２の布は、互いの上部を合わせた状態で上部及び両側部が縫合されて、前記第１の布の下部を開口とする収納部が形成され、前記第２の布の口を覆う部分は、前記第１の布側に折り返して前記収納部に収納可能となるものである。
【考案の効果】
【０００６】
従来のアイマスクに、口を覆う機能を付加し、見た目でも人に不快感を与えないようにする。又アイマスク部分の形を少し変形し、アイマスク部分も、口に使用する通常のマスクとして機能するようにする。仕事等での不足の移動の際、春先には花粉症の症状が突然発生することもあり、マスクを常備できていることは望ましい。これにより、１商品で３機能（アイマスク＋口覆い＋通常のマスク）での使用を可能とする。
【考案を実施するための最良の形態】
【０００７】
従来のアイマスク部分の布を長く裁断し、口を覆う布部分を付加する。口を覆うこの部分は、アイマスクの袋状の部分に織り込んで収納できるようにする。アイマスク部分も従来の目の形とするのではなく、少々四角に近い形とし、通常のマスクとしても機能するようにする。通常のマスク使用に備えて、袋状の部分に、口あてとしてガーゼを常備収納できるようにする。当該マスク部分は、強度の強い紐等により、耳にかけることが出来る形とする。
【実施例】
【０００８】
本実施例のアイマスクは、図１に示すように、目又は口の一方を覆う形状の第１の布１と、図２に示すように、目から口までを覆う形状の第２の布２と、耳かけとで構成される。以下、本実施例のアイマスクの特徴部分について説明する。
【０００９】
［装着］
口覆いをつけ、且つアイマスクとして使用する場合は、図３のようになり、通常のマスクとして使用する場合は、図５のようになる。
【００１０】
［収納］
口覆い部分、通常のマスク利用時に使用するガーゼを上記袋状の部分に収納する。図３下部を収納し、図５になる。
【００１１】
［デザインと布地］
布地は、アイマスクと通常のマスクを両用することを考えるに、光りを通さず且つ通気性の良い清潔なものが望ましい。具体的素材についてはシンサレートソフトをキルティングしたものなど、各種想定可能である。マスク使用時の口あて部分は、ガーゼ又は、強度の強い紙ナプキン等が好ましい。
【００１２】
デザインについては、現状売られているマスクやアイマスクがいたってシンプルであり、画一的であることから、男女ともにファッショナブルに装えるように各種カラーを用意する。又、花粉症の時期等には学生の方がおしゃれ感覚でマスクを利用出来るように、刺繍を施したり、アクセサリーとしてスパンコール、レースをつける等の装飾も施す。
【００１３】
又、マスク部分と耳かけに使用する紐は強度が強く、マスク本体の色にあったもの、レース等のおしゃれなものとする（ゴムも検討の価値あり）。
【産業上の利用可能性】
【００１４】
本考案は、アイマスク又は通常のマスク又はその双方に利用できる。
【図面の簡単な説明】
【００１５】
【図１】本考案の一実施例に係るアイマスクを構成する第１の布を示す図である。
【図２】本考案の一実施例に係るアイマスクを構成する第２の布を示す図である。
【図３】本考案の一実施例に係るアイマスクの構成を示す図であり、アイマスクから口覆い部を取り出した状態を示している。
【図４】図３のアイマスクを横方向から見た図である。
【図５】本考案の一実施例に係るアイマスクの構成を示す図であり、アイマスクに口覆い部を収納した状態を示している。
【図６】本考案の一実施例に係るアイマスクを裏側から見た図であり、口覆い部と、ガーゼを収納する際のポケットを示している。
【図７】本考案の一実施例に係るアイマスクを装着した状態を示す正面図である。
【図８】本考案の一実施例に係るアイマスクを装着した状態を示す斜視図である。
【符号の説明】
【００１６】
１  第１の布
２  第２の布
【手続補正３】
【補正対象書類名】図面
【補正対象項目名】全図
【補正方法】変更
【補正の内容】
【図１】
0003125982.tif 000011
【図２】
0003125982.tif 000012
【図３】
0003125982.tif 000013
【図４】
0003125982.tif 000014
【図５】
0003125982.tif 000015
【図６】
0003125982.tif 000016
【図７】
0003125982.tif 000017
【図８】
0003125982.tif 000018